(57)【要約】  【課題】 本発明は、アイレットに関するものであり、特に、プラスチックに成形されたことがアイレットを使用する場合に簡単なプレス加圧によって固定が可能にさせたアイレットを提供する。【解決手段】 現在使用されるアイレットは、織物地などの上下で雄と雌が結合されながら織物地等に貫通された穴で連結紐が連結される場合に織物地の損傷を防止しながらデザインを優秀にさせる場合に使用されるものである。しかし、このようなものなどの大部分は、雄と雌の結合のためには加圧によって変形された形態を有する金属材のみで使ったものである。また、金属材の短所が、腐食が発生されるということであるので、織物地などに損傷が発生されるということであり、このような金属材の特性上鋭い切り目による加工が要求されるということであるので、経済的ではない短所があるものであった。したがって、本発明ではプラスチックによる射出成形によって雄と雌で区分するようにした後、加圧によって結合されたことを特徴とする。  【選択図】図１
2010520383.tif 000002
【特許請求の範囲】
【請求項１】
段顎枠１４を有するピンホール１１の間で係止ピン１２が形成された雌部１０と前記雌部１０のピンホール１１に挟まれる先尖り部２２が形成されたピン体２１と前記ピン体２１との間に前記雌部１０の係止ピン１２とすれ違うように位置されるまた他の係止ピン２３が形成される雄部２０で構成されて、雄部２０のピン体２１を加圧して歪む部分が雌部１０の段顎枠１４に満たされるようにすることを特徴とするプラスチックアイレット。
【請求項２】
前記雄部の先端の先尖り部２２は、鋭くてその後段に行きながら厚ぼったい肉が形成されながら湾曲するようにすることを特徴とする請求項１に記載のプラスチックアイレット。
【発明の詳細な説明】
【技術分野】
【０００１】
本発明は、アイレットに関するものであり、特に、プラスチックで射出成形された状態でもアイレットで使用する場合に簡単なプレス加圧によって雌・雄部の結合が可能で、結合された状態では任意的に分離が不可能に固定できるようにしたものである。
【背景技術】
【０００２】
現在使用される大部分のアイレットは、織物地１００などに貫通された穴１１０に連結紐(図示せず)などを連結して使用する場合に織物地１００の損傷を防止するために貫通された穴１１０の上下に雌部１０と雄部２０が結合されながら織物地１００などに貫通された穴１１０の損傷を防止しながら連結紐が連結される場合に織物地１００の損傷を防止しながらデザインを優秀にさせる場合に使用されるものである。
しかし、このようなものなどの大部分は、アイレットを構成するようになる雌部１０と雄部２０の結合をプレスなどの後加工によって結合されることで加圧によって変形された形態を維持するようになる金属材のみで使ったものである。
しかし、金属材の短所が湿気によって腐食が発生されるということであり、このような腐食防止のためにメッキ等の多様な追加的な加工が必要であるというものであり、特に、このような腐食によって織物地などに損傷が発生されるというものである。
また、金属の特性上切り目の鋭さによって必ず研磨などの別途の加工が要求されるというものであり、雌部と雄部の結合によって同一な平面状態の維持が不可能で、また腐食防止のために加工されたメッキ等の後加工も結局に剥がれるようになることで、湿気によって腐食が発生されることで多様な形態への使用が不可能でありながらも経済的ではない短所があった。
【発明の概要】
【発明が解決しようとする課題】
【０００３】
したがって、本発明では軟質でありながら成形性が優秀なポリエチレン(ＰＥ)の特性を利用したプラスチックによる射出成形によって雄と雌で区分するようにした後、加圧によって結合されたアイレットを提供するためのものである。
【課題を解決するための手段】
【０００４】
このために段顎枠を有するピンホールの間で係止ピンが形成された雌部と前記ピンホールに挟まれる先尖り部が形成されたピン体と該ピン体との間に前記雌部の係止ピンとすれ違うように位置されるまた他の係止ピンが形成される雄部で構成されて、雄部のピン体を加圧して歪む部分に雌部の段顎に満たされるようにすることで簡単に具現するようにしたものである。
【発明の効果】
【０００５】
したがって、プラスチックで成形されることで腐食がなくて、どのような織物地に結合する場合にも損傷が発生されなくなって、またプラスチックであるために洗濯する場合にも全然損傷が発生されなくなるし、簡単な加圧によるプレス作業によってピン体が歪みながら雌部の段顎枠に満たされるようになることで任意的な抜け出ることも防止するようになるものである。
【図面の簡単な説明】
【０００６】
【図１】本発明の一実施例の組み立て過程を示した斜視図である。
【図２】本発明のアイレットを使って織物地に結合された状態の断面図である。
【図３】本発明の加圧状態を示した概略図である。
【図４】本発明の雄部のピン体の外観斜視図である。
【図５】本発明の組み立て分解斜視図である。
【図６】従来のアイレットの概略図である。
【発明を実施するための形態】
【０００７】
以下、添付図面に基づいて本発明を詳しく説明すると次のようである。
まず、従来の構成と同一な構成に対しては、同一な参照符号を使用するようにした。
まず、本発明で使用されたプラスチックは、低密度ポリエチレンを使用するものであり、前記した低密度ポリエチレンは微量の空気を触媒にして１０００ａｔｍ、２００℃以上の高圧下で加熱して作られて、したがって、一般的に高圧ポリエチレンと言って密度が０．９１程度であり、枝があるために分子配列が十分ではなくて、結晶化された部分が６５％程度であるために、柔らかになってよく増えて、引張強度はすこし小さいけれども耐衝撃性は大きくて、加工しやすくて使いやすい。
このような低密度ポリエチレン樹脂を射出成形によって成形して成形された構造が図１に示されたところのように中央に貫通されたホール１３が形成された一面にそれぞれの段顎枠１４を有する多数個のピンホール１１と前記ピンホール１１は対応される他面を貫いて形成されて、他面にはピンホール１１の間で浅い高さの係止ピン１２が形成された雌部１０と該雌部１０の他面に形成されたピンホール１１で挟まれる先尖り部２２が形成されたピン体２１と該ピン体２１との間に前記雌部１０の係止ピン１２とすれ違うように位置されるまた他の係止ピン２３が形成されて、前記中央に貫通されたホール２５に上側に延長されて突き出される隔壁２４が形成される雄部２０でなされる構成である。
この時前記雄部２０のピン体２１を加圧して、歪む部分が雌部１０の段顎枠１４に満たされるようにすることで簡単に具現するようにしたものであり、このような満たすことがポリエチレン(ＰＥ)の特性によって可能になるものである。
この時、係止ピン１２、２３の位置は、お互いに対角線の方向に位置するようにすることで布地に挟まれた状態で流動が防止されるものである。
この時ピン体は、図４に示されたところのように先端の先尖り部２２は鋭くてその後段に行きながら厚ぼったい肉が形成されながら湾曲するようにすることで織物に結合される場合に支持力が優秀になると同時に加圧される場合にしなわないで歪む部分が正確になるものである。
したがって、織物１００に穿孔された穴１１０に雄部２０の隔壁２４を挟んで固定するようにした後、前記雄部２０のピン体２１の先尖り部２２を利用して織物１００を挟んで固定するようにした後前記ピン体２１に雌部１０のピンホール１１を挟んで固定するようにした後、ピン体２１を加圧するようにすると雄部２０と雌部１０がお互いに密着しながら同時にピン体２１が歪みながら雌部１０のピンホール１１の段顎枠１４に満たされるようにされながら雌部１０と雄部２０が緊密に結合固定されるものであり、同時に雌部１０と雄部２０の係止ピン１２、２３によって織物１００が堅固に固定されるものである。
【符号の説明】
【０００８】
１０  雌部
１１  ピンホール
１２  係止ピン
１３  ホール
１４  段顎枠
２０  雄部
２１  ピン体
２２  先尖り部
２３  係止ピン
２４  隔壁
２５  ホール
【図１】
2010520383.tif 000003
【図２】
2010520383.tif 000004
【図３】
2010520383.tif 000005
【図４】
2010520383.tif 000006
【図５】
2010520383.tif 000007
【図６】
2010520383.tif 000008
【国際調査報告】
2010520383.tif 000009
2010520383.tif 000010